(57)【特許請求の範囲】
【請求項１】
送信側において、主信号のデータ系列に対して離散フーリエ変換を行って周波数領域の信号に変換し、その周波数領域の信号に変換されたデータ系列をサブキャリアにマッピングして送信する移動通信システムであって、
前記送信側に、前記周波数領域の信号に変換されたデータ系列に対して周波数領域で前記サブキャリア毎にシンボルを繰り返すことによるレート制御及び前記シンボルのインタリーブ制御を行う機能を有し、
ＨＡＲＱ（Ｈｙｂｒｉｄ  Ａｕｔｏｍａｔｉｃ  Ｒｅｐｅａｔ  ｒｅＱｕｅｓｔ）での再送制御及び回線品質情報によって前記レート制御及び前記インタリーブ制御を適応的に制御することを特徴とする移動通信システム。
【請求項２】
前記レート制御において、再送送信時にスケジューラで個々のユーザの優先度を決める際に優先度の高いユーザに対して前記シンボルの繰り返し数を大きくすることを特徴とする請求項１記載の移動通信システム。
【請求項３】
前記主信号の新規送信時に比較的優先度の高いユーザに対して前記シンボルの繰り返し数を大きくして送信することを特徴とする請求項１または請求項２記載の移動通信システム。
【請求項４】
前記インタリーブ制御において、前記シンボルの繰り返し数が大きい場合に前記レート制御毎のインタリーブ制御パターンを変えることを特徴とする請求項１から請求項３のいずれか記載の移動通信システム。
【請求項５】
ＤＦＴ（Ｄｉｓｃｒｅｔｅ  Ｆｏｕｒｉｅｒ  Ｔｒａｎｓｆｏｒｍ）  ｓｐｒｅａｄ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いることを特徴とする請求項１から請求項４のいずれか記載の移動通信システム。
【請求項６】
送信時に、主信号のデータ系列に対して離散フーリエ変換を行って周波数領域の信号に変換し、その周波数領域の信号に変換されたデータ系列をサブキャリアにマッピングして送信する通信装置であって、
前記周波数領域の信号に変換されたデータ系列に対して周波数領域で前記サブキャリア毎にシンボルを繰り返すことによるレート制御及び前記シンボルのインタリーブ制御を行う機能を有し、
ＨＡＲＱ（Ｈｙｂｒｉｄ  Ａｕｔｏｍａｔｉｃ  Ｒｅｐｅａｔ  ｒｅＱｕｅｓｔ）での再送制御及び回線品質情報によって前記レート制御及び前記インタリーブ制御を適応的に制御することを特徴とする通信装置。
【請求項７】
前記レート制御において、再送送信時にスケジューラで個々のユーザの優先度を決める際に優先度の高いユーザに対して前記シンボルの繰り返し数を大きくすることを特徴とする請求項６記載の通信装置。
【請求項８】
前記主信号の新規送信時に比較的優先度の高いユーザに対して前記シンボルの繰り返し数を大きくして送信することを特徴とする請求項６または請求項７記載の通信装置。
【請求項９】
前記インタリーブ制御において、前記シンボルの繰り返し数が大きい場合に前記レート制御毎のインタリーブ制御パターンを変えることを特徴とする請求項６から請求項８のいずれか記載の通信装置。
【請求項１０】
ＤＦＴ（Ｄｉｓｃｒｅｔｅ  Ｆｏｕｒｉｅｒ  Ｔｒａｎｓｆｏｒｍ）  ｓｐｒｅａｄ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いることを特徴とする請求項６から請求項９のいずれか記載の通信装置。
【請求項１１】
送信側において、主信号のデータ系列に対して離散フーリエ変換を行って周波数領域の信号に変換し、その周波数領域の信号に変換されたデータ系列をサブキャリアにマッピングして送信する移動通信システムに用いる前記サブキャリアへのマッピング方法であって、
前記送信側で、前記周波数領域の信号に変換されたデータ系列に対して周波数領域で前記サブキャリア毎にシンボルを繰り返すことによるレート制御及び前記シンボルのインタリーブ制御を行い、
ＨＡＲＱ（Ｈｙｂｒｉｄ  Ａｕｔｏｍａｔｉｃ  Ｒｅｐｅａｔ  ｒｅＱｕｅｓｔ）での再送制御及び回線品質情報によって前記レート制御及び前記インタリーブを適応的に制御することを特徴とするマッピング方法。
【請求項１２】
前記レート制御において、再送送信時にスケジューラで個々のユーザの優先度を決める際に優先度の高いユーザに対して前記シンボルの繰り返し数を大きくすることを特徴とする請求項１１記載のマッピング方法。
【請求項１３】
前記主信号の新規送信時に比較的優先度の高いユーザに対して前記シンボルの繰り返し数を大きくして送信することを特徴とする請求項１１または請求項１２記載のマッピング方法。
【請求項１４】
前記インタリーブ制御において、前記シンボルの繰り返し数が大きい場合に前記レート制御毎のインタリーブ制御パターンを変えることを特徴とする請求項１１から請求項１３のいずれか記載のマッピング方法。
【請求項１５】
ＤＦＴ（Ｄｉｓｃｒｅｔｅ  Ｆｏｕｒｉｅｒ  Ｔｒａｎｓｆｏｒｍ）  ｓｐｒｅａｄ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の移動通信システムに用いることを特徴とする請求項１１から請求項１４のいずれか記載のマッピング方法。
【発明の詳細な説明】
【技術分野】
【０００１】
本発明は移動通信システム、通信装置及びそれらに用いるマッピング方法に関し、特にＤＦＴ（Ｄｉｓｃｒｅｔｅ  Ｆｏｕｒｉｅｒ  Ｔｒａｎｓｆｏｒｍ：離散フーリエ変換）  ｓｐｒｅａｄ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）におけるサブキャリア（Ｓｕｂ−ｃａｒｒｉｅｒ：搬送波）のマッピング方法に関する。
【背景技術】
【０００２】
上記のＤＦＴ  ｓｐｒｅａｄ  ＯＦＤＭでは、送信側において、主信号のデータ系列に対してＣＲＣ（Ｃｙｃｌｉｃ  Ｒｅｄｕｎｄａｎｃｙ  Ｃｈｅｃｋ）が付加され、一連のチャネルコーディング（Ｃｈａｎｎｅｌ  Ｃｏｄｉｎｇ）された符号化データ系列が変調され、ＤＦＴをかけることによって周波数領域の信号に変換される。
【０００３】
周波数領域の信号に変換されたデータ系列に対しては、周波数領域でサブキャリアにマッピング（Ｍａｐｐｉｎｇ）され、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）をかけてＣＰ（Ｃｙｃｌｉｃ  Ｐｒｅｆｉｘ）を挿入して送信される。
【０００４】
また、受信側においては、受信された信号からＣＰを除去し、ＦＦＴ（Ｆａｓｔ  Ｆｏｕｒｉｅｒ  Ｔｒａｎｓｆｏｒｍ：高速フーリエ変換）することによって周波数領域の信号に変換され、ユーザ毎にサブキャリアからデマッピング（Ｄｅ−ｍａｐｐｉｎｇ）され、ＩＤＦＴ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）されて時間領域に戻された後に復調され、チャネルデコーディング（Ｃｈａｎｎｅｌ  Ｄｅｃｏｄｉｎｇ）されてＣＲＣのチェックが行われる（例えば、非特許文献１参照）。
【０００５】
この非特許文献１にて提案されているシングルキャリア伝送方式に用いられるフレームフォーマットの構成例を図５に示す。図５において、１つのサブフレーム（ｓｕｂ−ｆｒａｍｅ）では、６つのＬＢ（Ｌｏｎｇ  Ｂｌｏｃｋ：ロングブロック）＃１〜＃６でデータ信号が送信され、２つのＳＢ（Ｓｈｏｒｔ  Ｂｌｏｃｋ：ショートブロック）＃１，＃２でパイロット信号が送信されることが想定されている。
【０００６】
また、これらＬＢ＃１〜＃６及びＳＢ＃１，＃２の前段にはＣＰ（Ｃｙｃｌｉｃ  Ｐｒｅｆｉｘ：サイクリックプレフィックス）が、受信側での周波数領域等化を効果的に実行するために付加されている。ここで、ＣＰの付加とは、ブロックの後部をブロックの前部にコピーすることである。
【０００７】
【非特許文献１】“Ｐｈｙｓｉｃａｌ  Ｌａｙｅｒ  Ａｓｐｅｃｔｓ  ｆｏｒ  Ｅｖｏｌｖｅｄ  ＵＴＲＡ”（３ＧＰＰ  ＴＲ２５．８１４  ｖ１．２．２（２００６−３），９．１．１章）
【発明の開示】
【発明が解決しようとする課題】
【０００８】
上記のＤＦＴ  ｓｐｒｅａｄ  ＯＦＤＭでは、周波数領域でマッピングを行うので、伝搬路の周波数特性がわかれば、並列伝送や再送制御で周波数領域でのサブキャリアのマッピングを適切に考慮することで、特性が改善可能となる。
【０００９】
そこで、本発明の目的は、並列伝送や再送制御で周波数領域でのサブキャリアのマッピングを適切に考慮することができ、特性を改善することができる移動通信システム、通信装置及びそれらに用いるマッピング方法を提供することにある。
【課題を解決するための手段】
【００１０】
本発明による移動通信システムは、送信側において、主信号のデータ系列に対して離散フーリエ変換を行って周波数領域の信号に変換し、その周波数領域の信号に変換されたデータ系列をサブキャリアにマッピングして送信する移動通信システムであって、
前記送信側に、前記周波数領域の信号に変換されたデータ系列に対して周波数領域で前記サブキャリア毎にシンボルを繰り返すことによるレート制御及び前記シンボルのインタリーブ制御を行う機能を備え、
ＨＡＲＱ（Ｈｙｂｒｉｄ  Ａｕｔｏｍａｔｉｃ  Ｒｅｐｅａｔ  ｒｅＱｕｅｓｔ）での再送制御及び回線品質情報によって前記レート制御及び前記インタリーブ制御を適応的に制御している。
【００１１】
本発明による通信装置は、送信時に、主信号のデータ系列に対して離散フーリエ変換を行って周波数領域の信号に変換し、その周波数領域の信号に変換されたデータ系列をサブキャリアにマッピングして送信する通信装置であって、
前記周波数領域の信号に変換されたデータ系列に対して周波数領域で前記サブキャリア毎にシンボルを繰り返すことによるレート制御及び前記シンボルのインタリーブ制御を行う機能を備え、
ＨＡＲＱ（Ｈｙｂｒｉｄ  Ａｕｔｏｍａｔｉｃ  Ｒｅｐｅａｔ  ｒｅＱｕｅｓｔ）での再送制御及び回線品質情報によって前記レート制御及び前記インタリーブ制御を適応的に制御している。
【００１２】
本発明によるマッピング方法は、送信側において、主信号のデータ系列に対して離散フーリエ変換を行って周波数領域の信号に変換し、その周波数領域の信号に変換されたデータ系列をサブキャリアにマッピングして送信する移動通信システムに用いる前記サブキャリアへのマッピング方法であって、
前記送信側で、前記周波数領域の信号に変換されたデータ系列に対して周波数領域で前記サブキャリア毎にシンボルを繰り返すことによるレート制御及び前記シンボルのインタリーブ制御を行い、
ＨＡＲＱ（Ｈｙｂｒｉｄ  Ａｕｔｏｍａｔｉｃ  Ｒｅｐｅａｔ  ｒｅＱｕｅｓｔ）での再送制御及び回線品質情報によって前記レート制御及び前記インタリーブを適応的に制御している。
【００１３】
すなわち、本発明の移動通信システムは、ＤＦＴ（Ｄｉｓｃｒｅｔｅ  Ｆｏｕｒｉｅｒ  Ｔｒａｎｓｆｏｒｍ：離散フーリエ変換）  ｓｐｒｅａｄ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）を用いるシステムにおいて、周波数領域でサブキャリア（Ｓｕｂ−ｃａｒｒｉｅｒ：搬送波）毎にシンボルを繰り返すことによるレート（Ｒａｔｅ  ｍａｔｃｈｉｎｇ）｛繰り返し（Ｒｅｐｅｔｉｔｉｏｎ）制御｝（ビット系列に対して一定周期でビットを繰り返し挿入する処理）及びシンボルをインタリーブ（Ｉｎｔｅｒｌｅａｖｅ）する機能を有し、ＨＡＲＱ（Ｈｙｂｒｉｄ  Ａｕｔｏｍａｔｉｃ  Ｒｅｐｅａｔ  ｒｅＱｕｅｓｔ）での再送制御や回線品質情報によってそれらを適応的に制御することを特徴としている。
【００１４】
より具体的に説明すると、本発明の移動通信システムでは、端末送信側において、主信号のデータ系列に対してＣＲＣ（Ｃｙｃｌｉｃ  Ｒｅｄｕｎｄａｎｃｙ  Ｃｈｅｃｋ）が付加され、一連のチャネルコーディング（Ｃｈａｎｎｅｌ  Ｃｏｄｉｎｇ）された符号化データ系列が変調され、ＤＦＴをかけることによって周波数領域の信号に変換される。
【００１５】
この変換された周波数領域の信号に対しては、周波数領域でシンボルの繰り返し制御及びインタリーブが行われ、サブキャリアにマッピング（Ｍａｐｐｉｎｇ）され、パルス整形フィルタ（Ｐｕｌｓｅ  Ｓｈａｐｉｎｇ  Ｆｉｌｔｅｒ）を通した後、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）をかけ、ＣＰ（Ｃｙｃｌｉｃ  Ｐｒｅｆｉｘ）を挿入して送信される。
【００１６】
また、基地局受信側では、受信された信号からＣＰが除去され、ＦＦＴ（Ｆａｓｔ  Ｆｏｕｒｉｅｒ  Ｔｒａｎｓｆｏｒｍ：高速フーリエ変換）することによって周波数領域の信号に変換され、ユーザ毎にパルス整形フィルタを通した後、ユーザ毎にサブキャリアからデマッピング（Ｄｅ−ｍａｐｐｉｎｇ）され、デインタリーブ（Ｄｅ−ｉｎｔｅｒｌｅａｖｅ）合成、Ｄｅ−ｒｅｐｅｔｉｔｉｏｎ合成後、ＩＤＦＴ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）をかけることによって時間領域に戻した後、復調し、チャネルデコーディング（Ｃｈａｎｎｅｌ  Ｄｅｃｏｄｉｎｇ）し、ＣＲＣのチェックを行う。
【００１７】
このＣＲＣの判定結果は、ＨＡＲＱ時の再送判断に使用される。ＣＲＣの判定結果がＮＧで、ＨＡＲＱの再送制御をする場合、それらの再送制御情報を下り制御情報に多重して端末にも通知する。再送制御情報としては、従来からのＰｕｎｃｔｕｒｉｎｇパターン（ビット系列から一定周期でビットを抜き取る処理のためのパターン）を変えるためのＲｅｄｕｎｄａｎｃｙ  ｖｅｒｓｉｏｎに相当するＰｕｎｃｔｕｒｉｎｇ制御パターン情報に加えて、周波数領域での処理でも再送制御するため、繰り返し制御パターン情報及びインタリーブ制御パターン情報が各ブロックに通知される。また、再送制御情報を決める時に、パイロット（Ｐｉｌｏｔ）信号から測定した品質情報も使用する。
【００１８】
本発明では、繰り返し制御において、再送送信時にスケジューラで個々のユーザの優先度を決める際に、優先度の高いユーザに対してＮの値（シンボルの倍数）を大きくすることによって、再送時にダイバーシティ効果を持たせることが可能となる。また、新規送信時でも、比較的優先度の高いユーザに対して、Ｎの値（シンボルの倍数）を大きくして送信することによって、再送の確率を低くすることが可能となる。さらに、受信したパイロット信号の受信品質から伝搬路の周波数特性を求め、複数のシンボルの適切なマッピング及びインタリーブパターンを選択することによって、受信品質の悪い周波数に偏らないように割り当てることも可能となる。
【００１９】
さらにまた、インタリーブ制御では、Ｎの値（シンボルの倍数）が大きい場合に、それぞれの＃０〜＃Ｎ−１のインタリーブパターンを変えることによって、周波数選択性フェージング等に対するダイバーシティ効果が得られ、再送時にインタリーブパターンを変えることによって、比較的遅いフェージングに対してもダイバーシティ効果が得られる。
【発明の効果】
【００２０】
本発明は、上記のような構成及び動作とすることで、並列伝送や再送制御で周波数領域でのサブキャリアのマッピングを適切に考慮することができ、特性を改善することができるという効果が得られる。
【発明を実施するための最良の形態】
【００２１】
次に、本発明の実施例について図面を参照して説明する。図１は本発明の一実施例による端末装置の構成を示すブロック図である。図１において、端末装置１はＣＲＣ（Ｃｙｃｌｉｃ  Ｒｅｄｕｎｄａｎｃｙ  Ｃｈｅｃｋ）付加部１１と、チャネルコーディング（Ｃｈａｎｎｅｌ  Ｃｏｄｉｎｇ）部１２と、変調部１３と、ＤＦＴ（Ｄｉｓｃｒｅｔｅ  Ｆｏｕｒｉｅｒ  Ｔｒａｎｓｆｏｒｍ：離散フーリエ変換）部１４と、繰り返し（Ｒｅｐｅｔｉｔｉｏｎ）部（＃０〜＃Ｎ−１）１５と、インタリーブ（Ｉｎｔｅｒｌｅａｖｅ）部（＃０〜＃Ｎ−１）１６と、制御情報分離部１７と、再送制御情報保持部１８と、インタリーブ制御パターン保持部１９と、繰り返し制御パターン保持部２０と、Ｐｕｎｃｔｕｒｉｎｇ制御パターン保持部２１と、サブキャリアマッピング（Ｓｕｂ  ｃａｒｒｉｅｒ  Ｍａｐｐｉｎｇ）部２２と、パルス整形フィルタ（Ｐｕｌｓｅ  Ｓｈａｐｉｎｇ  Ｆｉｌｔｅｒ）部２３と、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）部２４と、ＣＰ（Ｃｙｃｌｉｃ  Ｐｒｅｆｉｘ）挿入部２５，２７と、パイロット信号生成部２６と、多重部（ＭＵＸ：Ｍｕｌｔｉｐｌｅｘｅｒ）２８とから構成されている。
【００２２】
図２は本発明の一実施例による基地局装置の構成を示すブロック図である。図２において、基地局装置３は分離部（ＤｅＭＵＸ：Ｍｕｌｔｉｐｌｅｘｅｒ）３１と、ＣＰ除去部３２，３６と、ＦＦＴ（Ｆａｓｔ  Ｆｏｕｒｉｅｒ  Ｔｒａｎｓｆｏｒｍ：高速フーリエ変換）部３３と、パルス整形フィルタ（Ｐｕｌｓｅ  Ｓｈａｐｉｎｇ  Ｆｉｌｔｅｒ）部３４と、サブキャリアデマッピング（Ｓｕｂ  ｃａｒｒｉｅｒ  Ｄｅ−ｍａｐｐｉｎｇ）部３５と、パイロット信号復調部３７と、品質情報測定部３８と、デインタリーブ（Ｄｅ−ｉｎｔｅｒｌｅａｖｅ）部（＃０〜＃Ｎ−１）３９と、Ｄｅ−ｒｅｐｅｔｉｔｉｏｎ部（＃０〜＃Ｎ−１）４０と、ＩＤＦＴ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）部４１と、復調部４２と、チャネルデコーディング（Ｃｈａｎｎｅｌ  Ｄｅｃｏｄｉｎｇ）部４３と、ＣＲＣチェック部４４と、再送制御情報生成部４５と、遅延部（Ｄｅｌａｙ）４６，４８，５０と、Ｐｕｎｃｔｕｒｉｎｇ制御パターン保持部４７と、繰り返し制御パターン保持部４９と、インタリーブ制御パターン保持部５１と、制御情報多重部５２とから構成されている。
【００２３】
尚、繰り返し制御パターン保持部２０，４９には、ビット系列に対して一定周期でビットを繰り返し挿入する処理（Ｒｅｐｅｔｉｔｉｏｎ）や繰り返し抜き取る処理（Ｄｅ−ｒｅｐｅｔｉｔｉｏｎ）のためのパターンが保持され、Ｐｕｎｃｔｕｒｉｎｇ制御パターン保持部２１，４７には、ビット系列から一定周期でビットを抜き取る処理（Ｐｕｎｃｔｕｒｉｎｇ）やそれを復元する処理のためのパターンが保持されている。
【００２４】
これら図１に示す端末装置１及び図２に示す基地局装置３の送信側や受信側の構成について説明する。尚、これら端末装置１及び基地局装置３の構成としては、ＤＦＴ  ｓｐｒｅａｄ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）における構成を示しているが、本発明はＯＦＤＭにも適用可能である。
【００２５】
端末装置１の送信側では、主信号のデータ系列に対してＣＲＣ付加部１１でＣＲＣが付加され、チャネルコーディング部１２で一連のＣｈａｎｎｅｌ  Ｃｏｄｉｎｇされた符号化データ系列が変調部１３でＱＰＳＫ（Ｑｕａｄｒａｔｕｒｅ  Ｐｈａｓｅ  Ｓｈｉｆｔ  Ｋｅｙｉｎｇ：４位相偏移変調）や１６ＱＡＭ（１６  Ｑｕａｄｒａｔｕｒｅ  Ａｍｐｌｉｔｕｄｅ  Ｍｏｄｕｌａｔｉｏｎ）に変調され、ＤＦＴ部１４でＤＦＴをかけることによって周波数領域の信号に変換される。
【００２６】
この変換された周波数領域の信号に対しては、周波数領域で、繰り返し部（＃０〜＃Ｎ−１）１５によるＮ倍のシンボルのＲｅｐｅｔｉｔｉｏｎ制御（レート制御）及びインタリーブ部（＃０〜＃Ｎ−１）１６によるＲｅｐｅｔｉｔｉｏｎ毎の単位でそれぞれ異なるパターンでのインタリーブが行われ、サブキャリアマッピング部２２でサブキャリアにマッピングされ、パルス整形フィルタ部２３でパルス整形フィルタを通した後、ＩＦＦＴ部２４でＩＦＦＴをかけ、ＣＰ挿入部２５でＣＰを挿入して送信される。
【００２７】
また、基地局装置３の受信側では、受信した信号のＣＰがＣＰ除去部３２で除去され、ＦＦＴ部３３でＦＦＴをかけることによって周波数領域の信号に変換され、パルス整形フィルタ部３４でユーザ毎にパルス整形フィルタを通した後、サブキャリアデマッピング部３５でユーザ毎に、サブキャリア毎にデマッピングされ、デインタリーブ合成部（＃０〜＃Ｎ−１）３９で再送時のデインタリーブ後、再送前の信号との軟判定合成を行い、Ｄｅ−ｒｅｐｅｔｉｔｉｏｎ合成部（＃０〜＃Ｎ−１）４０で再送時のＤｅ−ｒｅｐｅｔｉｔｉｏｎ後、再送前の信号との軟判定合成を行い、ＩＤＦＴ部４１でＩＤＦＴをかけて時間領域に戻す。
【００２８】
この時間領域に戻された信号は、復調部４２でデータ復調され、チャネルデコーディング部４３で一連のチャネルデコーディング処理が行われ、ＣＲＣチェック部でＣＲＣ結果が判定される。このＣＲＣ判定結果は、ＨＡＲＱ（Ｈｙｂｒｉｄ  Ａｕｔｏｍａｔｉｃ  Ｒｅｐｅａｔ  ｒｅＱｕｅｓｔ）時の再送判断に使用される。
【００２９】
ＣＲＣ結果がＮＧで、ＨＡＲＱの再送制御をする場合、再送制御情報生成部４５でそれらの再送制御情報を生成し、下り制御情報に多重して端末装置１にも通知するとともに、再送制御周期を考慮して基地局装置３の各ブロックでも使用される。
【００３０】
再送制御情報としては、従来からのＰｕｎｃｔｕｒｉｎｇパターンを変えるためにチャネルコーディング／チャネルデコーディング部で使用されるＲｅｄｕｎｄａｎｃｙ  ｖｅｒｓｉｏｎに相当するＰｕｎｃｔｕｒｉｎｇ制御パターン情報に加えて、周波数領域での処理でも再送制御するため、Ｒｅｐｅｔｉｔｉｏｎ／Ｄｅ−ｒｅｐｅｔｉｔｉｏｎ部で使用される繰り返し制御パターン情報及びインタリーブ／デインタリーブ部で使用されるインタリーブ制御パターン情報が各ブロックに通知される。
【００３１】
また、再送制御情報を決める時にはパイロット信号から測定した品質情報（品質情報測定部３８で測定された品質情報）も使用する。端末装置１側のパイロット信号生成部２６で生成されたパイロット信号はＣＰ挿入部２７でＣＰが挿入され、多重部２８で主信号と多重される。基地局装置３側では、分離部３１で主信号と分離された信号のＣＰ除去がＣＰ除去部３６で行われ、パイロット信号復調部３７で復調され、品質情報測定部３８で品質情報を求める。その品質情報は、再送制御情報を決める時に使用する。
【００３２】
図３（ａ），（ｂ）は本発明の一実施例によるＲｅｐｅｔｉｔｉｏｎ制御の一例を示す図であり、図４は本発明の一実施例によるＩｎｔｅｒｌｅａｖｅ制御の一例を示す図である。これら図１〜図４を参照して本発明の一実施例による移動通信システムの動作について説明する。
【００３３】
端末装置１の送信側では、主信号のデータ系列に対してＣＲＣ付加部１１でＣＲＣが付加され、チャネルコーディング部１２で一連のＣｈａｎｎｅｌ  Ｃｏｄｉｎｇされた符号化データ系列が変調部１３でＱＰＳＫや１６ＱＡＭに変調され、ＤＦＴ部１４でＤＦＴをかけることによって周波数領域の信号に変換される。
【００３４】
この変換された周波数領域の信号に対しては、周波数領域で、繰り返し部（＃０〜＃Ｎ−１）１５によるＮ倍のシンボルのＲｅｐｅｔｉｔｉｏｎ制御及びインタリーブ部（＃０〜＃Ｎ−１）１６によるＲｅｐｅｔｉｔｉｏｎ毎の単位でそれぞれ異なるパターンでのインタリーブが行われ、サブキャリアマッピング部２２でサブキャリアにマッピングされ、パルス整形フィルタ部２３でパルス整形フィルタを通した後、ＩＦＦＴ部２４でＩＦＦＴをかけ、ＣＰ挿入部２５でＣＰを挿入して送信される。
【００３５】
図３には、Ｎ＝２の場合のＲｅｐｅｔｉｔｉｏｎ制御の一例を示している。図３において、同じシンボルを繰り返すことにより、Ｎ倍のシンボル数が出力される。インタリーブ後にサブキャリアにマッピングする方法の一例として、方法１［図３（ａ）に示す方法］と方法２［図３（ｂ）に示す方法］とを示す。
【００３６】
Ｒｅｐｅｔｉｔｉｏｎ＃０，＃１がともに（０，１，２，３，４，５，６，７）の場合、方法１ではサブキャリアに（０，１，２，３，４，５，６，７，０，１，２，３，４，５，６，７）とマッピングされ、方法２ではサブキャリアに（０，０，１，１，２，２，３，３，４，４，５，５，６，６，７，７）とマッピングされる。
【００３７】
図４には、Ｎ＝２の場合のＩｎｔｅｒｌｅａｖｅ制御の一例を示している。インタリーブ部（＃０〜＃Ｎ−１）１６では、バースト誤りに対する耐性を上げるためにビットの入れ替えが行われる。Ｎ＝２の場合に関して、インタリーブの一例を図４に示す。インタリーブ部＃０，＃１への入力データ列＃０，＃１は、それぞれインタリーブパターン＃０（０，４，２，６，１，５，３，７）、インタリーブパターン＃１（７，３，５，１，６，２，４，０）のように入力データ列に対して、異なるインタリーブパターンでインタリーブされる。
【００３８】
その結果、インタリーブパターン＃０の場合には（０，１，２，３，４，５，６，７）が（０，４，２，６，１，５，３，７）とインタリーブされ、インタリーブパターン＃１の場合には（０，１，２，３，４，５，６，７）が（７，３，５，１，６，２，４，０）とインタリーブされる。
【００３９】
また、基地局装置３の受信側では、受信した信号のＣＰがＣＰ除去部３２で除去され、ＦＦＴ部３３でＦＦＴをかけることによって周波数領域の信号に変換され、パルス整形フィルタ部３４でユーザ毎にパルス整形フィルタを通した後、サブキャリアデマッピング部３５でユーザ毎に、サブキャリア毎にデマッピングされ、デインタリーブ合成部（＃０〜＃Ｎ−１）３９で再送時のデインタリーブ後、再送前の信号との軟判定合成を行い、Ｄｅ−ｒｅｐｅｔｉｔｉｏｎ合成部（＃０〜＃Ｎ−１）４０で再送時のＤｅ−ｒｅｐｅｔｉｔｉｏｎ後、再送前の信号との軟判定合成を行い、ＩＤＦＴ部４１でＩＤＦＴをかけて時間領域に戻す。
【００４０】
この時間領域に戻された信号は、復調部４２でデータ復調され、チャネルデコーディング部４３で一連のチャネルデコーディング処理が行われ、ＣＲＣチェック部でＣＲＣ結果が判定される。このＣＲＣ判定結果は、ＨＡＲＱ時の再送判断に使用される。
【００４１】
ＣＲＣ結果がＮＧで、ＨＡＲＱの再送制御をする場合、再送制御情報生成部４５でそれらの再送制御情報を生成し、下り制御情報に多重して端末装置１にも通知するとともに、再送制御周期を考慮して基地局装置３の各ブロックでも使用される。
【００４２】
再送制御情報としては、従来からのＰｕｎｃｔｕｒｉｎｇパターンを変えるためにチャネルコーディング／チャネルデコーディング部で使用されるＲｅｄｕｎｄａｎｃｙ  ｖｅｒｓｉｏｎに相当するＰｕｎｃｔｕｒｉｎｇ制御パターン情報に加えて、周波数領域での処理でも再送制御するため、Ｒｅｐｅｔｉｔｉｏｎ／Ｄｅ−ｒｅｐｅｔｉｔｉｏｎ部で使用される繰り返し制御パターン情報及びインタリーブ／デインタリーブ部で使用されるインタリーブ制御パターン情報が各ブロックに通知される。
【００４３】
また、再送制御情報を決める時にはパイロット信号から測定した品質情報（品質情報測定部３８で測定された品質情報）も使用する。端末装置１側のパイロット信号生成部２６で生成されたパイロット信号はＣＰ挿入部２７でＣＰが挿入され、多重部２８で主信号と多重される。基地局装置３側では、分離部３１で主信号と分離された信号のＣＰ除去がＣＰ除去部３６で行われ、パイロット信号復調部３７で復調され、品質情報測定部３８で品質情報を求める。その品質情報は、再送制御情報を決める時に使用する。
【００４４】
図５に無線フレームフォーマットの一例を示す。図５において、例えば、ＳＢ（Ｓｈｏｒｔ  Ｂｌｏｃｋ：ショートブロック）＃１，＃２にパイロット信号、ＬＢ（Ｌｏｎｇ  Ｂｌｏｃｋ：ロングブロック）＃１〜＃６にデータ信号というように時分割に多重される。
【００４５】
基地局装置３側では、分離部３１で主信号と分離された信号のＣＰ除去が行われ、パイロット信号復調部３７で復調され、品質情報測定部３８で周波数毎の品質情報を求める。その品質情報は、再送制御情報を決める時に使用する。
【００４６】
例えば、Ｒｅｐｅｔｉｔｉｏｎ制御で使用されるＮの値（シンボルの倍数）の決め方としては、再送送信時にスケジューラ（図示せず）で個々のユーザの優先度を決める時に優先度の高いユーザに対して、Ｎの値（シンボルの倍数）を大きくすることによってダイバーシティ効果を持たせることが考えられる。新規送信時でも、比較的優先度の高いユーザに対して、Ｎの値（シンボルの倍数）を大きくして送信することも考えられる。
【００４７】
また、受信したパイロット信号の受信品質から伝搬路の周波数特性を求め、複数のシンボルを受信品質の悪い周波数に偏らないように割り当てることも考えられる。この場合には、インタリーブ処理をスルーする必要がある。または、受信品質の悪い周波数に偏らないようなインタリーブ制御パターンを選択することも考えられる。
【００４８】
さらに、インタリーブ制御では、Ｎの値（シンボルの倍数）が大きい場合には、それぞれの＃０〜＃Ｎ−１のインタリーブ制御パターンを変えることによって、周波数選択性フェージング等に対するダイバーシティ効果が得られ、再送時にインタリーブ制御パターンを変えることによって、比較的遅いフェージングに対してもダイバーシティ効果が得られる。
【００４９】
このように、本実施例では、Ｒｅｐｅｔｉｔｉｏｎ制御において、再送送信時に、スケジューラで個々のユーザの優先度を決める時に優先度の高いユーザに対して、Ｎの値（シンボルの倍数）を大きくすることによって、再送時にダイバーシティ効果を持たせることができる。
【００５０】
また、本実施例では、新規送信時でも比較的優先度の高いユーザに対して、Ｎの値（シンボルの倍数）を大きくして送信することによって、再送の確率を低くすることができる。
【００５１】
さらに、本実施例では、受信したパイロット信号の受信品質から伝搬路の周波数特性を求め、複数のシンボルの適切なマッピング及びインタリーブ制御パターンを選択することによって、受信品質の悪い周波数に偏らないように割り当てることもできる。
【００５２】
さらにまた、本実施例では、インタリーブ制御において、Ｎの値（シンボルの倍数）が大きい場合に、それぞれの＃０〜＃Ｎ−１のインタリーブ制御パターンを変えることによって、周波数選択性フェージング等に対するダイバーシティ効果が得られ、再送時にインタリーブ制御を変えることによって、比較的遅いフェージングに対してもダイバーシティ効果が得られる。
【００５３】
したがって、本実施例では、上記の制御を行うことによって、並列伝送や再送制御で周波数領域でのサブキャリアのマッピングを適切に考慮することができ、特性を改善することができる。
【図面の簡単な説明】
【００５４】
【図１】本発明の一実施例による端末装置の構成を示すブロック図である。
【図２】本発明の一実施例による基地局装置の構成を示すブロック図である。
【図３】（ａ），（ｂ）は本発明の一実施例によるＲｅｐｅｔｉｔｉｏｎ制御の一例を示す図である。
【図４】本発明の一実施例によるＩｎｔｅｒｌｅａｖｅ制御の一例を示す図である。
【図５】上り無線フレームの構成例を示す図である。
【符号の説明】
【００５５】
１  端末装置
３  基地局装置
１１  ＣＲＣ付加部
１２  チャネルコーディング部
１３  変調部
１４  ＤＦＴ部
１５  繰り返し部（＃０〜＃Ｎ−１）
１６  インタリーブ部（＃０〜＃Ｎ−１）
１７  制御情報分離部
１８  再送制御情報保持部
１９  インタリーブ制御パターン保持部
２０  繰り返し制御パターン保持部
２１  Ｐｕｎｃｔｕｒｉｎｇ制御パターン保持部
２２  サブキャリアマッピング部
２３  パルス整形フィルタ部
２４  ＩＦＦＴ部
２５，２７  ＣＰ挿入部
２６  パイロット信号生成部
２８  多重部
３１  分離部
３２，３６  ＣＰ除去部
３３  ＦＦＴ部
３４  パルス整形フィルタ部
３５  サブキャリアデマッピング部
３７  パイロット信号復調部
３８  品質情報測定部
３９  デインタリーブ部（＃０〜＃Ｎ−１）
４０  Ｄｅ−ｒｅｐｅｔｉｔｉｏｎ部（＃０〜＃Ｎ−１）
４１  ＩＤＦＴ部
４２  復調部
４３  チャネルデコーディング部
４４  ＣＲＣチェック部
４５  再送制御情報生成部
４６，４８，５０  遅延部（Ｄｅｌａｙ）
４７  Ｐｕｎｃｔｕｒｉｎｇ制御パターン保持部
４９  繰り返し制御パターン保持部
５１  インタリーブ制御パターン保持部
５２  制御情報多重部
【図１】
0004844226.tif 000002
【図２】
0004844226.tif 000003
【図３】
0004844226.tif 000004
【図４】
0004844226.tif 000005
【図５】
0004844226.tif 000006